(57)【要約】【課題】  映像信号の出力装置と受信あるいは表示装置に関し、特に出力装置と受信装置の接続ならびに相互認識に関し、接続する機器を交換しても、互いにどのレベルの映像信号を正しく送受信できるかが自動認識されてユーザーの設定ミスを防止するとともに、設定の手間を省くことができる。【解決手段】  映像出力装置１０は、接続相手先が受信可能な映像信号形式を示す受信能力情報を接続相手先から受信するレベル検出部１２ならびに能力検出部１３を備えており、映像受信装置２０は、受信可能な映像信号形式を示す受信能力情報を接続相手先に出力する受信能力出力部２１を備えたものである。【選択図】  図１
2006211493.tif 000002
【特許請求の範囲】
【請求項１】
接続相手先が受信可能な映像信号形式を示す受信能力情報を接続相手先から受信する受信能力確認手段を備えた映像出力装置。
【請求項２】
前記受信能力情報に従い、接続相手先が受信不可能な映像信号を受信可能な映像信号に作り替える方式変換手段を備えた請求項１記載の映像出力装置。
【請求項３】
出力映像信号の形式を示す信号形式情報を出力する信号形式出力手段を備え、前記信号形式出力手段が出力する前記信号形式情報と前記受信能力確認手段に入力される前記受信能力情報は、共通の信号線を双方向に使用して送信される請求項１記載の映像出力装置。
【請求項４】
前記受信能力確認手段は、装置の初期化時、映像出力の開始時、接続相手先との接続検知時のいずれか、あるいはすべての時点で、前記受信能力情報を確認する請求項１ないし３のいずれかに記載の映像出力装置。
【請求項５】
前記受信能力情報は、段階的に定義された能力レベルを表すコードか、少なくとも、走査線数を示す情報、走査方式を示す情報、アスペクト比を示す情報のいずれかを含む請求項１ないし３のいずれかに記載の映像出力装置。
【請求項６】
受信可能な映像信号形式を示す受信能力情報を接続相手先に出力する受信能力出力手段を備えた映像受信装置。
【請求項７】
受信映像の信号形式を示す信号形式情報が入力される信号形式入力手段を備え、前記信号形式入力手段に入力される前記信号形式情報と前記受信能力出力手段が出力する前記受信能力情報は、共通の信号線を双方向に使用して送信される請求項６記載の映像受信装置。
【請求項８】
前記受信能力出力手段は、少なくとも、映像信号入力がないときに前記受信能力情報を接続相手先に出力する請求項６または７記載の映像受信装置。
【請求項９】
前記受信能力情報は、段階的に定義された能力レベルを表すコードか、少なくとも、走査線数を示す情報、走査方式を示す情報、アスペクト比を示す情報のいずれかを含む請求項６または７記載の映像受信装置。
【発明の詳細な説明】
【技術分野】
【０００１】
本発明は、映像信号の出力装置と受信あるいは表示装置に関し、特に出力装置と受信装置の接続ならびに相互認識に関するものである。
【背景技術】
【０００２】
デジタル放送の開始に伴い、映像機器は走査線数や走査方式が異なる映像信号に対応する必要が生まれている。例えば、映像出力装置としてチューナーを、映像受信装置としてテレビを想定した場合、映像信号形式が複数あるため、能力の異なる機器を何の考慮もなく接続してしまうと、映像信号を正しく表示できない組み合わせができてしまうことになる。
【０００３】
そこでデジタル放送に対応した「Ｄ端子」規格では、表１のようにＤ１からＤ５までのＤ端子表示が定義され、表示機器は表示レベル以下のすべて信号を受信可能であることが必須となっている。
【０００４】
【表１】
2006211493.tif 000003
図３に、従来の映像出力装置および映像受信（表示）装置の構成図を示す。
【０００５】
図３において、４０は映像出力装置、５０は映像受信装置であり、映像出力装置４０は、ライン出力部４１と方式設定部４２を備え、映像受信装置５０は、レベル検出部５１と方式検出部５２を備えている。
【０００６】
ライン出力部４１は、出力映像信号の信号形式に従って３本の識別信号線６１，６２，６３の電圧レベルを決定する回路である。方式設定部４２は、ユーザー設定によって接続している映像受信装置５０の表示能力レベル（Ｄ１からＤ５まで）を設定する回路である。レベル検出部５１は、３本の識別信号線６１，６２，６３の電圧レベルを検出する回路である。方式検出部５２は、レベル検出部５１の出力から伝送される映像信号の形式を判別する回路である。
【０００７】
また、３本の識別信号線６１，６２，６３の識別信号は、表２に示すように走査線数、走査方式、アスペクト比を表しており、図３の示すように映像出力装置４０から映像受信装置５０に出力映像信号の信号形式を伝送する構成となっている。
【０００８】
【表２】
2006211493.tif 000004
このように、接続装置の能力を区分して信号形式を伝送することで、映像信号を正しく表示できるよう工夫されている（例えば、非特許文献１参照）。
【０００９】
また、コンピュータ装置のマルチスキャン型のディスプレイの場合にも、ディスプレイの能力によって表示できる解像度、駆動周波数などが様々に存在するため、ディスプレイコントローラ側の出力形式を正しく設定しないとディスプレイに何も表示されないという状態になる。そこで、ディスプレイ側で受信した映像信号を正しく表示可能かどうかを判断してコントローラ側に返答することにより、ディスプレイコントローラ側で正しく表示できる組み合わせを自動設定できるようにするなどの技術がある（例えば、特許文献１参照）。
【非特許文献１】ＥＩＡＪ  ＣＰ−４１２０「デジタルチューナとテレビジョン受像機のＤ端子接続」
【特許文献１】特開平９―１３８６７４号公報
【発明の開示】
【発明が解決しようとする課題】
【００１０】
しかしながら、前記従来の構成では、映像出力装置に対して、Ｄ１からＤ５までのどのレベルの機器を接続したかをユーザーがメニュー選択する必要があった。そのため少なからず手間がかかるうえに、Ｄ端子に関する知識がなければ間違った設定をしてしまいかねないという課題を有していた。また、後者のパソコンの例でも、コントローラとディスプレイの組み合わせを変える度に初期設定が必要である点は、チューナーとテレビの例と同じである。
【課題を解決するための手段】
【００１１】
本発明の映像出力装置は、接続相手先が受信可能な映像信号形式を示す受信能力情報を接続相手先から受信する受信能力確認手段を備えたものである。
【００１２】
また、前記受信能力情報に従い、接続相手先が受信不可能な映像信号を受信可能な映像信号に作り替える方式変換手段を備える。
【００１３】
さらに、出力映像信号の形式を示す信号形式情報を出力する信号形式出力手段を備え、前記信号形式出力手段が出力する前記信号形式情報と前記受信能力確認手段に入力される前記受信能力情報は、共通の信号線を双方向に使用して送信される。
【００１４】
前記受信能力確認手段は、装置の初期化時、映像出力の開始時、接続相手先との接続検知時のいずれか、あるいはすべての時点で、前記受信能力情報を確認する。
【００１５】
前記受信能力情報は、段階的に定義された能力レベルを表すコードか、少なくとも、走査線数を示す情報、走査方式を示す情報、アスペクト比を示す情報のいずれかを含む。
【００１６】
本発明の映像受信装置は、受信可能な映像信号形式を示す受信能力情報を接続相手先に出力する受信能力出力手段を備えたものである。
【００１７】
また、受信映像の信号形式を示す信号形式情報が入力される信号形式入力手段を備え、前記信号形式入力手段に入力される前記信号形式情報と前記受信能力出力手段が出力する前記受信能力情報は、共通の信号線を双方向に使用して送信される。
【００１８】
前記受信能力出力手段は、少なくとも、映像信号入力がないときに前記受信能力情報を接続相手先に出力する。
【００１９】
前記受信能力情報は、段階的に定義された能力レベルを表すコードか、少なくとも、走査線数を示す情報、走査方式を示す情報、アスペクト比を示す情報のいずれかを含む。
【００２０】
本発明の映像出力装置によると、接続相手先が受信可能な映像信号形式を示す受信能力情報を接続相手先から受信する受信能力確認手段を設けたので、例えば装置の初期化時、映像出力の開始時、接続相手先との接続検知時のいずれか、あるいはすべての時点で、接続相手先の受信能力情報を確認し、接続相手先が受信可能な映像信号を送ることができる。
【００２１】
本発明の映像受信装置によると、受信可能な映像信号形式を示す受信能力情報を接続相手先に出力する受信能力出力手段を設けたので、少なくとも、映像信号入力がないときに受信能力情報を接続相手先に出力し、自身の受信可能な映像信号形式を接続相手先に知らせることができる。
【発明の効果】
【００２２】
本発明の映像出力装置および映像受信装置によれば、接続する機器を交換しても、互いにどのレベルの映像信号を正しく送受信できるかが自動認識されてユーザーの設定ミスを防止するとともに、設定の手間を省くことができる。
【発明を実施するための最良の形態】
【００２３】
以下に、本発明の実施の形態について、図面を参照しながら説明する。
【００２４】
（実施の形態１）
図１は、本発明の実施の形態１における映像出力装置および映像受信（表示）装置の構成図である。
【００２５】
図１において、１０は映像出力装置、２０は映像受信装置であり、映像出力装置１０は、ライン出力部１１とレベル検出部１２と能力検出部１３を備え、映像受信装置２０は、受信能力出力部２１とレベル検出部２２と方式検出部２３を備えている。
【００２６】
ライン出力部１１は、出力映像信号の信号形式に従って３本の識別信号線３１，３２，３３の電圧レベルを決定する回路である。レベル検出部１２は、映像出力装置１０内にあって３本の能力信号線３４，３５，３６の電圧レベルを検出する回路である。能力検出部１３は、レベル検出部１２の出力により接続されている映像受信装置２０の受信能力レベルを検出する回路である。受信能力出力部２１は、映像受信装置２０内にあって３本の能力信号線３４，３５，３６の電圧レベルを決定する回路である。レベル検出部２２は、３本の識別信号線３１，３２，３３の電圧レベルを検出する回路である。方式検出部２３は、レベル検出部２２の出力から伝送される映像信号の形式を判別する回路である。
【００２７】
なお、ライン出力部１１が、出力映像信号の形式を示す信号形式情報を出力する信号形式出力手段となり、レベル検出部１２および能力検出部１３が、映像受信装置２０が受信可能な映像信号形式を示す受信能力情報を映像受信装置２０から受信する受信能力確認手段となる。また、受信能力出力部２１が、受信可能な映像信号形式を示す受信能力情報を映像出力装置１０に出力する受信能力出力手段となり、レベル検出部２２および方式検出部２３が、受信映像の信号形式を示す信号形式情報が入力される信号形式入力手段となる。
【００２８】
識別信号線３１，３２，３３と能力信号線３４，３５，３６は、その信号線を双方向に用いることで共有するものであり、映像出力装置１０では映像出力を行っていない場合には、ＥＮＡＢＬＥ信号によってライン出力部１１が識別信号線３１，３２，３３をハイインピーダンスとして切り離す。この状態のとき、受信能力出力部２１によって、能力信号線３４，３５，３６が映像受信装置２０毎に固有の受信能力レベルを表す電圧レベルとなるようにプルアップ抵抗、プルダウン抵抗にて簡便に電圧レベルを決定する構成となっている。すなわち、受信能力出力部２１は、少なくとも、映像信号入力がないときに受信能力情報を映像出力装置１０に出力する。
【００２９】
３本の能力信号線３４，３５，３６としては、表３に示すように能力信号の電圧レベルを定義することで、Ｄ端子表示レベルと対応付けすることができる。なお、表３の能力信号１，２，３が、それぞれ能力信号線３４，３５，３６上を送信される。受信能力情報としては、段階的に定義された能力レベルを表すコードか、少なくとも、走査線数を示す情報、走査方式を示す情報、アスペクト比を示す情報のいずれかを含んでおり、表３の例では、能力信号１が走査線数を示す情報、能力信号２が走査方式を示す情報となっている。
【００３０】
【表３】
2006211493.tif 000005
なお、受信能力情報は、表３の定義に限定するものではない。
【００３１】
そして、映像出力装置１０の初期化時、映像出力の開始時、映像受信装置２０との接続検知時のいずれか、あるいはすべての時点で、レベル検出部１２および能力検出部１３において受信能力情報を確認する。映像出力装置１０では、当該確認した受信能力情報に従い、映像受信装置２０が受信可能な映像信号を送る。すなわち、映像出力装置１０は、図示せぬ方式変換手段を備え、必要に応じて、映像受信装置２０が受信不可能な映像信号を、走査線数の変換、走査方式の変換あるいはアスペクト比の変換を行って、受信可能な映像信号に作り変えて映像受信装置２０に送る。例えば、映像受信装置２０がＤ１レベルならば、走査線数が７５０本、走査方式がプログレッシブ、アスペクト比が１６：９である７５０Ｐ信号（Ｄ４レベル）を、走査線数が５２５本、走査方式がインタレース、アスペクト比が４：３の信号に作り替えて送出する。
【００３２】
このように構成された映像出力装置１０および映像受信装置２０によると、映像出力装置１０側で映像を出力していない状態、すなわち装置の初期動作時や映像出力開始直前、映像受信装置２０との物理的接続が検知された時点で、能力検出部１３によって接続されている映像受信装置２０の受信能力を検出することにより、接続相手の機器が入れ替わった場合でも自動的に相手機器の能力が判別される。その判別結果に従い、正しく表示されない信号形式を方式変換などによって正しく表示される信号に作り替えるなどして、映像出力装置１０と映像受信装置２０の組み合わせが表示できない組み合わせになることを防止できる。よって、接続する機器を交換しても、互いにどのレベルの映像信号を正しく送受信できるかが自動認識されてユーザーの設定ミスを防止するとともに、設定の手間を省くことができる。
【００３３】
しかも、Ｄ端子の識別信号を共用して用いることで、既存の機器との相互互換性も保たれる。
【００３４】
（実施の形態２）
図２は、本発明の実施の形態２における映像出力装置および映像受信装置の構成図である。図２において、図１と同じ構成については同じ符号を付してその説明を省略する。
【００３５】
本実施の形態は、識別信号と能力信号がそれぞれ独立の専用信号線３１〜３６上を送信されることを特徴とするものである。
【００３６】
識別信号線３１，３２，３３は、ライン出力部１１とレベル検出部２２の間に接続され、能力信号線３４，３５，３６は、受信能力出力部２１とレベル検出部１２の間に接続されている。
【００３７】
受信能力出力部２１は、映像受信装置２０毎に固有の受信能力レベルを表す電圧レベルをプルアップ抵抗、プルダウン抵抗にて簡便に作り出す構成となっている。よって、映像出力装置１０は、ライン出力部１１によって従来と全く同じに出力映像の信号形式に合致する３本の識別信号線３１，３２，３３の電圧レベルを決定しながら、同時に３本の能力信号線３４，３５，３６を常に監視して、映像受信装置２０の受信能力を検出できるものである。
【００３８】
このように構成された映像出力装置１０および映像受信装置２０によると、実施の形態１の効果に加え、いつ何時であっても、接続されている映像受信装置２０が入れ替わった場合であっても、接続先の受信能力が検出でき、正しく表示されない信号形式を方式変換などによって正しく表示される信号に作り替えるなどして、表示できなくなる組み合わせになることを防止できる。
【００３９】
なお上記の実施の形態では、識別信号および能力信号を電圧レベルにて伝送する方法にて説明しているが、その限りではなく、双方向のシリアル通信などによって情報伝送するものであってもよい。
【産業上の利用可能性】
【００４０】
本発明にかかる映像出力装置および映像受信装置は、正しく送受信可能な映像信号形式を示す受信能力情報を自動認識できるため、ユーザーは接続するのみで、細かな設定をする必要がなく、一般的なビデオやテレビに有用である。さらに、接続する機器が特定されないモバイル機器には特に有用である。
【図面の簡単な説明】
【００４１】
【図１】本発明の実施の形態１における映像出力装置および映像受信装置の構成図
【図２】本発明の実施の形態２における映像出力装置および映像受信装置の構成図
【図３】従来の映像出力装置および映像受信装置の構成図
【符号の説明】
【００４２】
１０  映像出力装置
１１  ライン出力部（信号形式出力手段）
１２  レベル検出部（受信能力確認手段）
１３  能力検出部（受信能力確認手段）
２０  映像受信装置
２１  受信能力出力部（受信能力出力手段）
２２  レベル検出部（信号形式入力手段）
２３  方式検出部（信号形式入力手段）
３１，３２，３３  識別信号線
３４，３５，３６  能力信号線
【図１】
2006211493.tif 000006
【図２】
2006211493.tif 000007
【図３】
2006211493.tif 000008